(57)【要約】【課題】直射日光を遮光しつつ、建物内部に間接光をより導入することができる外装シェードを提供する。【解決手段】建物１２の外面を覆う壁体１４に複数の開口部１６が形成された外装シェード１０であって、開口部１６の壁体１４における外側の開口面２０の外開口面積は、壁体１４における内側の開口面１８の内開口面積より小さく、壁体１４を正面視した場合に、内側の開口面１８と外側の開口面２０とが略重ならず、内側の開口面１８の中心は外側の開口面２０の中心に対して上下かつ左右にずれた位置とされる。【選択図】図１
2019056278.tif 000002
【特許請求の範囲】
【請求項１】
建物の外面を覆う壁体に複数の開口部が形成された外装シェードであって、
前記開口部の前記壁体における外側の開口面の外開口面積は、前記壁体における内側の開口面の内開口面積より小さく、
前記壁体を正面視した場合に、前記内側の開口面と前記外側の開口面とが略重ならず、前記内側の開口面の中心は前記外側の開口面の中心に対して上下かつ左右にずれた位置とされる、
外装シェード。
【請求項２】
前記壁体を前記建物の南側に取付けた際に、前記内側の開口面の中心は前記外側の開口面の中心に対して上方かつ西方にずれた位置とされる、請求項１に記載の外装シェード。
【請求項３】
前記内側の開口面及び前記外側の開口面は、四角形状とされており、互いに相似形状とされている、請求項１又は２に記載の外装シェード。
【発明の詳細な説明】
【技術分野】
【０００１】
本発明は、外装シェードに関する。
【背景技術】
【０００２】
建物内部に差込む直射日光を遮光する機構として、外装シェードやルーバー、庇等が知られている。例えば特許文献１には、開孔パターンの異なる２枚のパンチングメタルから成る遮光装置によって直射日光を遮光する構成が開示されている。また、特許文献２には、建物の外壁に設けられた開口部の内壁面を傾斜させることにより、眺望を確保しつつ直射日射の取り込みを抑制する構成が開示されている。
【先行技術文献】
【特許文献】
【０００３】
【特許文献１】特開２０１７−６６６１４号公報
【特許文献２】特開２０１７−６６６８７号公報
【発明の概要】
【発明が解決しようとする課題】
【０００４】
近年、上記の外装シェード等には、直射日光を遮光する機能の他、建物内部の環境をより快適にするため、日射による熱負荷の軽減、間接光の導入、眺望の確保、視線の遮蔽等の様々な機能が求められている。しかしながら、特許文献１に示す遮光装置や特許文献２に示す開口部は、上記の様々な機能を持ち合わせてはいなかった。
【０００５】
本発明は上記事実に鑑み、直射日光を遮光しつつ、建物内部に間接光をより導入することができる外装シェードを提供することを目的とする。
【課題を解決するための手段】
【０００６】
請求項１に記載の外装シェードは、建物の外面を覆う壁体に複数の開口部が形成された外装シェードであって、前記開口部の前記壁体における外側の開口面の外開口面積は、前記壁体における内側の開口面の内開口面積より小さく、前記壁体を正面視した場合に、前記内側の開口面と前記外側の開口面とが略重ならず、前記内側の開口面の中心は前記外側の開口面の中心に対して上下かつ左右にずれた位置とされる。
【０００７】
上記構成によれば、壁体を正面視した場合に、内側の開口面と外側の開口面とが略重ならず、内側の開口面の中心が外側の開口面の中心に対して上下かつ左右にずれた位置とされる。このため、外側の開口面から開口部に入射した日射が、内側の開口面から建物内部に直接差込むことを抑制することができる。
【０００８】
また、開口部の外開口面積が内開口面積より小さいため、開口部の内周面（小口面）で日射を反射させて建物内部に間接光として導入することができる。なお、本発明において、「略重ならず」とは、全く重ならない構成（正面開口率が０％）の他、僅かに重なる構成（正面開口率１０％以下）を含んでいる。
【０００９】
請求項２に記載の外装シェードは、請求項１に記載の外装シェードであって、前記壁体を前記建物の南側に取付けた際に、前記内側の開口面の中心は前記外側の開口面の中心に対して上方かつ西方にずれた位置とされる。
【００１０】
上記構成によれば、外装シェードを建物の南側に取付けた際に、内側の開口面の中心が外側の開口面の中心に対して上方かつ西方にずれた位置とされる。このため、上方から開口部に入射する真夏の日射、及び西方から開口部に入射する西日が内側の開口面から建物内部に直接差込むことを抑制することができ、建物内部の環境をより快適にすることができる。なお、本発明において、「南側」とは、真南側の他、南西側や西南西側等を含んでいる。
【００１１】
請求項３に記載の外装シェードは、請求項１又は２に記載の外装シェードであって、前記内側の開口面及び前記外側の開口面は、四角形状とされており、互いに相似形状とされている。
【００１２】
上記構成によれば、内側の開口面と外側の開口面とが、四角形状とされ、互いに相似形状とされている。このため、開口面が円形状である場合や非相似形状である場合と比較して、開口部の施工性を向上させることができる。
【発明の効果】
【００１３】
本発明によれば、直射日光を遮光しつつ、建物内部に間接光をより導入することができる。
【図面の簡単な説明】
【００１４】
【図１】（Ａ）は実施形態の一例における外装シェードが取付けられた建物を示す平面図であり、（Ｂ）は（Ａ）における矢印Ａ方向から見た外装シェードを示す正面図である。
【図２】外装シェードの開口部の開口面を示す模式図である。
【図３】（Ａ）は図１（Ｂ）におけるＢ−Ｂ線断面図であり、（Ｂ）は図１（Ｂ）におけるＣ−Ｃ線断面図である。
【発明を実施するための形態】
【００１５】
以下、本発明の実施形態の一例における外装シェードについて、図１〜図３を用いて説明する。
【００１６】
（構成）
外装シェード１０は、建物１２の外面を覆うものであり、図１（Ａ）に示すように、矩形状の建物１２の一面に取付けられている。なお、本実施形態では、建物１２の窓面は西南西方向を向いており、建物１２の西南西側の外面全体が外装シェード１０によって覆われている。
【００１７】
図１（Ａ）及び図１（Ｂ）に示すように、外装シェード１０は、建物１２の外面を覆う壁体１４と、壁体１４に形成された複数の開口部１６と、を有している。壁体１４は、例えば厚さがｔとされたＧＲＣ（ガラス繊維強化セメント）パネルから成り、正面視で矩形状とされている。
【００１８】
開口部１６は、壁体１４を厚さ方向に貫通しており、壁体１４の外側、すなわち建物１２に面する面とは反対側の面、及び壁体１４の内側、すなわち建物１２に面する面にそれぞれ開口面１８、２０を有している。また、複数の開口部１６は、壁体１４全体に等間隔に形成されており、全て同一形状とされている。なお、壁体１４における開口部１６の数や間隔は、開口率に応じて定められている。
【００１９】
本実施形態では、内側の開口面１８及び外側の開口面２０はそれぞれ四角形状とされており、互いに相似形状とされている。また、外側の開口面２０の開口面積（外開口面積）は、内側の開口面１８の開口面積（内開口面積）より小さくされている。
【００２０】
さらに、壁体１４を正面視した場合に、内側の開口面１８と外側の開口面２０とが略重ならず、内側の開口面１８の中心が外側の開口面２０の中心に対して上下かつ左右にずれた位置とされている。具体的には、壁体１４を建物１２の西南西側（南側）に取付けた際に、内側の開口面１８の中心が外側の開口面２０の中心に対して上方かつ西方にずれた位置とされている。
【００２１】
より具体的に説明すると、図２に示すように、外側の開口面２０の寸法をａ×ｂとした場合に、内側の開口面１８の寸法はａ×ｂよりそれぞれの寸法が大きいｃ×ｄとされている。また、壁体１４を正面視した場合に、内側の開口面１８の中心Ｐは、外側の開口面２０の中心Ｑに対して上方にｍずれ、かつ西方（図２における左方）にｎずれた位置とされている。
【００２２】
（作用及び効果）
本実施形態の外装シェード１０によれば、壁体１４を正面視した場合に、内側の開口面１８と外側の開口面２０とが略重ならない位置とされている。このため、外側の開口面２０から開口部１６に入射した日射が、内側の開口面１８から建物１２内部に直接差込むことを抑制することができ、太陽の直達光による建物１２への熱負荷を低減することができる。
【００２３】
特に本実施形態の外装シェード１０によれば、開口部１６の内側の開口面１８の中心Ｐが外側の開口面２０の中心Ｑに対して上方にずれた位置とされている。このため、図３（Ａ）に示すように、上方から開口部１６に入射する日射が内側の開口面１８を通して建物１２内部に直接差込むことを抑制することができる。
【００２４】
なお、例えば真夏（７月２３日）において、太陽の高度は最も高い位置で７４．２度（１２時）、最も低い位置で３３．０度（１６時）となる。このため、内側の開口面１８の位置は、最も高度が低い太陽からの日射、すなわち高度３３．０度以上の日射をカットすることができる位置とされていることが好ましい。
【００２５】
また、本実施形態の外装シェード１０によれば、開口部１６の内側の開口面１８の中心Ｐが外側の開口面２０の中心Ｑに対して西方にずれた位置とされている。このため、図３（Ｂ）に示すように、西方から開口部１６に入射する日射（西日）が内側の開口面１８を通して建物１２内部に直接差込むことを抑制することができる。
【００２６】
なお、例えば真夏（７月２３日）において、１６時時点の太陽方位角は９２．３度となる。このため、内側の開口面１８の位置は、少なくとも太陽方位角９２．３度以上の日射をカットすることができる位置とされていることが好ましい。
【００２７】
また、本実施形態の外装シェード１０によれば、外側の開口面２０の開口面積（外開口面積）が、内側の開口面１８の開口面積（内開口面積）より小さくされている。このため、開口部１６の内周面２２（小口面）で日射を反射させて、建物１２内部に間接光として導入することができる。すなわち、日射遮蔽効果を妨げない範囲で間接光を建物１２内部に多く取込むことができるため、建物１２内部の明るさが増し、建物１２内部の環境をより快適にすることができる。
【００２８】
また、本実施形態の外装シェード１０によれば、内側の開口面１８及び外側の開口面２０が、それぞれ四角形状とされ、互いに相似形状とされている。このため、開口面１８、２０が円形状である場合や非相似形状である場合と比較して、開口部１６の施工性を向上させることができる。
【００２９】
（その他の実施形態）
以上、本発明について実施形態の一例を説明したが、本発明はかかる実施形態に限定されるものではなく、本発明の範囲内にて他の種々の実施形態が可能である。
【００３０】
例えば本実施形態では、建物１２の西南西側の外面に外装シェード１０が取付けられていたが、西南西側には限られず、建物１２のどの方位の外面に外装シェード１０が取付けられていてもよい。
【００３１】
また、本実施形態では、開口部１６の内側の開口面１８及び外側の開口面２０がそれぞれ四角形状とされ、互いに相似形状とされていた。しかし、内側の開口面１８及び外側の開口面２０の形状は上記実施形態には限られず、例えば一方が円形状、他方が四角形状等とされていてもよい。
【実施例】
【００３２】
以下、本発明の実施例及び比較例について説明する。なお、本発明は以下の実施例に限定されるものではない。
【００３３】
（実施例１）
実施例１では、外装シェードの開口部の外側の開口面の寸法について、ａ×ｂ＝１４０ｍｍ×１４０ｍｍ、内側の開口面の寸法について、ｃ×ｄ＝１８０ｍｍ×１８０ｍｍ、中心ＰＱ間の距離について、ｍ＝８５ｍｍ、ｎ＝１２０ｍｍとした。
【００３４】
また、壁体の厚さｔ＝１３０ｍｍとし、内側開口率、すなわち外装シェードの壁体の面積に対する内開口面積の総和の割合を３８．９３％とした。このとき、正面開口率、すなわち外装シェードの壁体を正面視した場合の壁体の面積に対する内側の開口面と外側の開口面との重なりの総和の割合は、３．６６％であった。
【００３５】
（比較例１）
比較例１では、外装シェードの開口部の外側の開口面の寸法について、ａ×ｂ＝１４０ｍｍ×１４０ｍｍ、内側の開口面の寸法について、ｃ×ｄ＝１４０ｍｍ×１４０ｍｍ、中心ＰＱ間の距離について、ｍ＝０ｍｍ、ｎ＝０ｍｍとした。
【００３６】
また、壁体の厚さｔ＝１３０ｍｍとし、内側開口率を３９．６４％とした。このとき、正面開口率は、内側開口率と同じ３９．６４％であった。
【００３７】
（実施例１と比較例１との比較）
外開口面積と内開口面積が同一の大きさとされ、内側の開口面の中心が外側の開口面の中心に対してずれた位置とされていない比較例１では、建物の窓面室内側の平均輝度が３０００ｃｄ／ｍ２以上である領域が多くなった。
【００３８】
一方、外開口面積が内開口面積より小さくされ、内側の開口面の中心が外側の開口面の中心に対してずれた位置とされている実施例１では、建物の窓面室内側の平均輝度が３０００ｃｄ／ｍ２以上である領域が、比較例１と比較して少なくなった。
【００３９】
一般的に、建物の窓面室内側の平均輝度が３０００ｃｄ／ｍ２以上の場合、建物の内部に居る人は明順応を起こして手元が暗く見えるため、窓面の輝度を抑えることにより快適な明るさを得ることが可能となる。すなわち、比較例１と比較して、実施例１の方が建物内部の明るさが増し、建物内部の環境をより快適にすることができることが確認できた。
【符号の説明】
【００４０】
１０          外装シェード
１２          建物
１４          壁体
１６          開口部
１８          内側の開口面
２０          外側の開口面
Ｐ、Ｑ        中心
【図１】
2019056278.tif 000003
【図２】
2019056278.tif 000004
【図３】
2019056278.tif 000005